(57)【特許請求の範囲】
【請求項１】
ハンドル側キャビネット(１)に対して、レンズ側キャビネット(２)がレンズ(３)の光軸の向きが変わる様に回動可能に連結されたデジタルカメラにおいて、
ハンドル側キャビネット(１)の底部に、レンズ側キャビネット(２)側へスライドして出没可能にスライド脚部(６)が配備され、
レンズ側キャビネット(２)は、ロック手段(７)によってハンドル側キャビネット(１)に対して回転不能にロック可能であり、
ロック手段(７)は、レンズ側キャビネット(２)と一体に回転する回転部材(５)と、スライド脚部(６)とに設けられた凹部(51)と凸部(62)とによって構成され、レンズの光軸を正面に向けた状態で、スライド脚部(６)をレンズ側キャビネット(２)側にスライドさせたときに凹部(51)と凸部(62)とが互いに嵌まり合う、デジタルカメラ。
【請求項２】
ハンドル側キャビネット(１)に対して、レンズ側キャビネット(２)がレンズ光軸を背面側に向く様に回転可能である、請求項１に記載のデジタルカメラ。
【発明の詳細な説明】
【０００１】
【発明の属する分野】
本発明は、レンズの光軸の向きを変えることにより、光軸の変わる範囲での撮影が可能なデジタルカメラに関するものである。
【０００２】
【従来の技術及び発明が解決しようとする課題】
図１に示す如く、ハンドル側キャビネット(１)に対してレンズ側キャビネット(２)を回動連結部(４)にて回動可能に連結し、レンズ側キャビネット(２)を回転させることにより、レンズ(３)の光軸を、前方、下方、上方、後方の何れか所望の向きに変えて撮影できるデジタルカメラが実施されている。
【０００３】
ハンドル側キャビネット(１)には電池収容部が設けられ、電池を収容した状態では、レンズ側キャビネット(２)よりもハンドル側キャビネット(１)の方が少し重い。
しかし、レンズの大型化等により、新製品ほどハンドル側キャビネット(１)とレンズ側キャビネット(２)の重量比は、１：１に近づく傾向がある。
レンズ(３)の光軸が上向き状態では、レンズ側キャビネット(２)の底面はハンドル側キャビネット(１)の底面とほぼ面が揃うため、デジタルカメラの重心位置が左右方向において、両キャビネット(１)(２)の回動連結部(４)近傍にあっても、該カメラを安定してテーブル等に置くことができる。
【０００４】
しかし、レンズ(３)の光軸が前方に向く様にレンズ側キャビネット(２)を９０゜回転させると、レンズ側キャビネット(２)とテーブルとの間に空間が生じて、デジタルカメラを安定してテーブルに載せることができず、三脚を用いずに遠隔操作によりカメラシャッターを動作させることは難しい。
【０００５】
本発明は、レンズ側キャビネット(２)のレンズ(３)の光軸の向きに拘わらず、安定してテーブル上に置くことのできるデジタルカメラを明らかにするものである。
【０００６】
【課題を解決する手段】
本発明のデジタルカメラは、ハンドル側キャビネット(１)に対して、レンズ側キャビネット(２)がレンズ(３)の光軸の向きが変わる様に回動可能に連結されたデジタルカメラにおいて、ハンドル側キャビネット(１)の底部に、レンズ側キャビネット(２)側へスライドして出没可能にスライド脚部(６)が配備され、レンズ側キャビネット(２)は、ロック手段(７)によってハンドル側キャビネット(１)に対して回転不能にロック可能であり、ロック手段(７)は、レンズ側キャビネット(２)と一体に回転する回転部材(５)と、スライド脚部(６)とに設けられた凹部(51)と凸部(62)とによって構成され、レンズの光軸を正面に向けた状態で、スライド脚部(６)をレンズ側キャビネット(２)側にスライドさせたときに凹部(51)と凸部(62)とが互いに嵌まり合う。
【０００７】
ハンドル側キャビネット(１)に対して、レンズ側キャビネット(２)がレンズ光軸を背面側に向く様に回転可能とすることができる。
【０００８】
【作用及び効果】
デジタルカメラをテーブル等に置いて、遠隔操作でシャッターを動作させるには、レンズ側キャビネット(２)をレンズ(３)の光軸が正面を向く様に回転させた状態で、スライド脚部(６)を引き出す。
デジタルカメラをテーブルの上に置いたとき、ハンドル側キャビネット(１)の底面からスライド脚部(６)がレンズ側キャビネット(２)の下方へ突出している状態となる。デジタルカメラの重心位置が左右方向において、両キャビネット(１)(２)の回動連結部(４)近傍にあっても、前記突出したスライド脚部(６)によってレンズ側キャビネット(２)側が下がる様にデジタルカメラが倒れることはなく、該カメラを安定してテーブルに置くことができ、三脚を用いずとも遠隔操作でシャッターを動作させることができる。
テーブル上でデジタルカメラが倒れて損傷することも防止できる。
【０００９】
ハンドル側キャビネット(１)に対して、レンズ側キャビネット(２)がレンズ光軸を背面側に向く様に回転可能とすれば、撮影者自身を撮影することができる。
【００１０】
【発明の実施の形態】
図１に示す如く、デジタルカメラは、ハンドル側キャビネット(１)に対してレンズ側キャビネット(２)が回動連結部(４)によって回動可能に連結されている。
ハンドル側キャビネット(１)は前後に扁平な筺体であり、ハンドル側キャビネット(１)のレンズ側キャビネット(２)に対して反対側の前面は隆起した指掛かり部(10)を有し、指掛かり部(10)側上面にはシャッター(11)を具え、内部は電池収容部となっている。
【００１１】
レンズ側キャビネット(２)も前後に扁平な筺体であり、ハンドル側キャビネット(１)側にレンズ(３)を有している。
ハンドル側キャビネット(１)とレンズ側キャビネット(２)の夫々の前後の面が揃った状態でレンズ(３)の光軸が上方に向き、両キャビネットの底面どうし及び上面どうしの面が揃う。
両キャビネット(１)(２)の回動連結部(４)の軸心は両キャビネットの高さ方向及び厚み方向の中央に位置している。
【００１２】
回動連結部(４)の構造は、斯種カメラでは公知であるので詳細説明は省略するが、レンズ側キャビネット(２)がレンズ(３)の光軸を真上、正面、真下、後方に向けた４つの姿勢で軟係止できる様、クリックボール等による軟係止手段(図示せず)を具えている。
【００１３】
回動連結部(４)には、レンズ側キャビネット(２)と一体に回転する回転部材(５)がハンドル側キャビネット(１)に侵入して設けられている。
回転部材(５)は金属又は機械的強度の高い樹脂にて形成され、両キャビネット(１)(２)内の電池と電子基板を電気的に繋ぐ配線(図示せず)を通す様に環状を呈している。
回転部材(５)には、レンズ(３)の光軸が正面を向いた状態で真下及び真上を向く２つの切欠状の凹部(51)(51a)が開設されている。
【００１４】
ハンドル側キャビネット(１)の底面には、該底面に沿ってレンズ側キャビネット(２)側にスライドして出没可能にスライド脚部(６)が配備されている。
スライド脚部(６)は、レンズ側キャビネット(２)側に突出した状態で先端はレンズ(３)の中心より少し外側に位置する。
【００１５】
スライド脚部(６)の後端には上向きにアーム(61)を突設し、該アーム(61)先端をレンズ側キャビネット(２)側に屈曲して前記回転部材(５)の下向き凹部(51)に係合可能な凸部(62)を形成している。
前記回転部材(５)の凹部(51)とスライド脚部(６)上の凸部(62)とによってレンズ側キャビネット(２)のロック手段(７)を構成している。
【００１６】
上記デジタルカメラの重心は、左右方向で回動連結部(４)の近傍に位置し、厚み方向では厚みの略中心部に位置している。
【００１７】
然して、シャッターを遠隔操作してカメラの前方を撮影するには、レンズ側キャビネット(２)をレンズ(３)の光軸が真上から正面を向く様に９０゜回転させる。レンズ側キャビネット(２)上の回転部材(５)の凹部(51)は真下を向く(図２Ｂ、図３Ｂ)。
この状態で、スライド脚部(６)を引き出してレンズ側キャビネット(２)の下方に突出させる。スライド脚部(６)上の凸部(62)が回転部材(５)の凹部(51)に嵌まって、レンズ側キャビネット(２)は回転方向にロックされる(図２Ｃ、図３Ｃ)。
【００１８】
デジタルカメラをテーブル(７)の上に置いても、ハンドル側キャビネット(１)の底面からスライド脚部(６)がレンズ側キャビネット(２)の下方へ突出しているため、レンズ側キャビネット(２)側が下がる様にデジタルカメラが倒れることはない。このためデジタルカメラを安定してテーブルに置くことができ、三脚を用いずとも遠隔操作でシャッターを動作させることができる。
又、テーブル上でデジタルカメラが倒れて損傷するを防止できる。
【００１９】
レンズ側キャビネット(２)はロックが掛かっているため、スライド脚部(６)が突出したままレンズ側キャビネット(２)を回わしてしまい、レンズ側キャビネット(２)とスライド脚部(６)が衝突してスライド脚部(６)を破損することを防止できる。
スライド脚部(６)を引っ込めると、レンズ側キャビネット(２)を図１実線で示す元の姿勢に戻すことができる。
【００２０】
カメラを手にした撮影者自身を撮る場合、レンズの光軸が真上を向いた状態からレンズ側キャビネット(２)を光軸が後方を向く様に９０゜後方に回転させる。
この状態でスライド脚部(６)を引き出せば、上記とは１８０゜反対側の凹部(51a)にスライド脚部(６)上の凸部(62)が嵌まってレンズ側キャビネット(２)の向きをロックできる。
【００２１】
尚、回転部材(５)に凸部、スライド脚部(６)のアーム(61)に該凸部が係合する凹部を形成しても、レンズ側キャビネット(２)のロック手段を構成することができる。
【００２２】
本発明は上記実施例の構成に限定されることはなく、特許請求の範囲で種々の変形が可能である。
【図面の簡単な説明】
【図１】本発明の要部を透視状態に描いたデジタルカメラの斜面図である。
【図２】デジタルカメラの正面側から見た、スライド脚部を引き出す手順の説明図である。
【図３】デジタルカメラの側面側から見た、スライド脚部を引き出す手順の説明図である。
【符号の説明】
(１)  ハンドル側キャビネット
(２)  レンズ側キャビネット
(３)  レンズ
(４)  回動連結部
(５)  回転部材
(51)  凹部
(６)  スライド脚部
(62)  凸部
【図１】
0003691382.tif 000002
【図２】
0003691382.tif 000003
【図３】
0003691382.tif 000004